(57)【要約】      （修正有）【課題】コンパクトカメラに対して着脱可能で、レンズ組合わせ変更可能なコンバージョンレンズを提供する。【解決手段】カメラ本体１の先端部に脱着可能なコンバージョンレンズ２０であって、側面に設けたスリット２２１ａ、２２１ｂ、２２１ｃ及び該スリットに対応する内部のスライダ２５ａ、２５ｂ、２５ｃによりカセットレンズ２６ａ、２６ｂ、２６ｃを挿入してセットする。複数のカセットレンズの選択、組み合わせにより、拡大率などの光学効果を調整することが出来る。【選択図】図１
0003144930.tif 000002
【実用新案登録請求の範囲】
【請求項１】
カメラ本体のレンズ開口に相対して着脱可能なケースの一方の側面に少なくとも１つのスリットを設けると共にその内部に前記スリットに対応するスライダを設けて、前記スリットと前記スライダとにより狭くて長いスロットを形成し、かつ前記スライダを前記カメラ本体のレンズの光軸と垂直な位置関係としたケースと、
前記スリットと前記スライダとの形状に対応し、前記スロットに挿入されて位置決めが行なわれると、そのレンズの光軸がカメラ本体のレンズの光軸と垂直な位置関係になる少なくとも１つのカセットレンズと、からなることを特徴とするデジタルカメラのコンバージョンレンズ。
【請求項２】
前記ケース内に設けられているバッテリと、
前記ケース内に設けられ、前記バッテリに電気的に接続され、発光体が前記ケースの先端部に配置される発光ユニットと、をさらに備えることを特徴とする請求項１に記載のデジタルカメラのコンバージョンレンズ。
【請求項３】
前記ケースは、２つのケースの片体から構成されることを特徴とする請求項１または２に記載のデジタルカメラのコンバージョンレンズ。
【請求項４】
前記カセットレンズは、レンズが凸レンズであることを特徴とする請求項１または２に記載のデジタルカメラのコンバージョンレンズ。
【請求項５】
前記ケースの前記スリットと前記スライダとからなる前記スロット数が２つ以上であることを特徴とする請求項１または２に記載のデジタルカメラのコンバージョンレンズ。
【考案の詳細な説明】
【技術分野】
【０００１】
本考案は、カメラに関し、特に、カメラのレンズの先端部に装着され、マクロ撮影を行なうコンバージョンレンズに関する。
【背景技術】
【０００２】
デジタルカメラは、従来のフィルムカメラに代り一般によく用いられるようになった。フィルムカメラのように、デジタルカメラも一眼レフ（ＳＬＲ）カメラおよびコンパクトカメラ（ｃｏｍｐａｃｔ  ｃａｍｅｒａ）の２種類に分けられるが、なかでも、コンパクトカメラは、手軽で、安価で、操作が容易という長所を有し、多数を占める。しかし、コンパクトカメラは、搭載されている固定（交換不可）レンズの焦点が約３５ｍｍ〜１０５ｍｍ（３５ｍｍフィルムカメラの等価値に相当）で、最短撮影距離が約５０ｃｍ以上で、近距離からのクローズアップ撮影（ｃｌｏｓｅ−ｕｐ  ｐｈｏｔｏｇｒａｐｈｙ）またはマクロ撮影（ｍａｃｒｏｐｈｏｔｏｇｒａｐｈｙ）が不可能である。また、高機能なコンパクトカメラには、１ｃｍ〜５ｃｍの「近接撮影」機能を有するものもあるが、短距離の合焦を提供するもので、十分な光学拡大率は提供していなく、本当のマクロ撮影（実像と実物とのサイズ比例は、少なくとも１：４以上必要である）とは言えない。このことからいえば、マクロ撮影が必要な場合、高価で、重く、操作が複雑な一眼レフカメラにマクロレンズおよびマクロストロボを組合せる方法以外に、コンパクトカメラのレンズの先端部に拡大効果を有するコンバージョンレンズを装着するしか解決方法がないということである。
【０００３】
従来技術において、コンバージョンレンズは、すでに発売されている。その主な構造は、カメラのレンズの先端部に固定型の拡大レンズを装着することである。特許文献１は、第２のストロボを装着する。特許文献２は、本来カメラのストロボに湾曲した導光板を装着する。これらの従来技術の外付けレンズは、単一拡大率の固定型のため、必要に応じて調節することができなかった。調節することができたとしても、作動距離（ｗｏｒｋｉｎｇ  ｄｉｓｔａｎｃｅ：被写体までの距離）の調節により拡大率を若干調節する方法を採るしかないが、所定の最大拡大率において、作動距離を伸ばして拡大率を縮小させることしかでず、所定の最大拡大率を越えることはやはり不可能であった。また、商品撮影などが行なわれる場合、カメラおよび被写体が特定の位置に固定されて、大量に連続して異なる被写体が撮影されるが、作動距離の調節により拡大率を変えるのは、実に不便であり、拡大率を変える方法とは言えず、従来の外付けレンズには解決すべき問題があった。
【特許文献１】米国特許第５７８１８０７号明細書
【特許文献２】米国特許第４７５５８３８号明細書
【特許文献３】特開昭６１−３２８２８号公報
【考案の開示】
【考案が解決しようとする課題】
【０００４】
本考案の目的は、固定された作動距離において、異なる拡大率のレンズを交換したり、同時に複数のレンズを用いて自由に配列または組合せを行なうなどして、異なる光学拡大率を有するデジタルカメラのコンバージョンレンズを提供することにある。
【０００５】
上述の目的を達成するため、本考案は、デジタルカメラのコンバージョンレンズを提供する。本考案のデジタルカメラのコンバージョンレンズは、カメラ本体の先端部に脱着自由に固定され、一方の側面に少なくとも１つのスリットが設けられ、内部にスリットに対応するスライダが設けられてスリットとスライダとがともに狭くて長いスロットを形成し、スロットはカメラ本体のレンズの光軸と垂直の位置関係にあるケースと、スリットとスライダとの形状に対応し、スロットにぴったり挿入されるようになっており、レンズを有し、スロットに挿入されて位置決めが行なわれると光軸がカメラ本体のレンズの光軸と一直線の位置関係になる少なくとも１つのカセットレンズと、を備える。
【考案の効果】
【０００６】
本考案のデジタルカメラのコンバージョンレンズは、カセットレンズを自由に交換したり、同時に複数のカセットレンズを用いたりして自由に配列または組合せを行ない、必要な光学効果（光学拡大率）に調節することができることができる。
【考案を実施するための最良の形態】
【０００７】
以下、本考案の第一の実施形態を図面に基づいて説明する。図１は、本考案の実施形態によるデジタルカメラのコンバージョンレンズを示す分解斜視図である。図１に示すように、本考案の実施形態によるデジタルカメラのコンバージョンレンズ２は、カメラの固定座１１上に固定され、着脱が可能である。固定座１１は、カメラ本体１のレンズ（図示せず）の外周に固設されている。そのため、コンバージョンレンズ２は、カメラのレンズの先端部に固定される。コンバージョンレンズ２は、ケース２０、バッテリ２３、発光ユニット２４および複数のカセットレンズから構成される。ケース２０は、四角形を呈するのが好適であるが、これに限定されるものではない。ケース２０は、２つのケースの片側２１、２２を組み合わせて構成されるのが好適である。ケース２０は、互いに電気的に接続されるバッテリ２３と発光ユニット２４とを内部に配置し、バッテリ２３が発光ユニット２４に電源を供給する。ケース２０は、発光ユニット２４を制御するスイッチ（図示せず）を有する。発光ユニット２４は、ＬＥＤである発光体２４１を有し、発光体２４１は、ケース２０の先端部に配置され、光源となる。
【０００８】
図２は、本考案の実施形態によるデジタルカメラのコンバージョンレンズを示す斜視図である。図１〜図２に示すように、ケース２０の一方の側面には、１つ以上のスリットが設けられている。本実施形態においては、３つのスリット２２１ａ、２２１ｂ、２２１ｃが設けられ、互いに平行の関係にある。ケース２０の内部には、スリット２２１ａ、２２１ｂ、２２１ｃに対応するスライダ２５ａ、２５ｂ、２５ｃが設けられている。つまり、各々のスリット２２１ａ、２２１ｂ、２２１ｃは、各々のスライダ２５ａ、２５ｂ、２５ｃと狭くて長いスロットを形成し、各々の狭くて長いスロットは、カメラ本体１のレンズの光軸と垂直の位置関係にあり、カセットレンズ２６ａ、２６ｂ、２６ｃがぴったり挿入されるようになっている。カセットレンズ２６ａ、２６ｂ、２６ｃは、スリット２２１ａ、２２１ｂ、２２１ｃとスライダ２５ａ、２５ｂ、２５ｃとに対応する外形を有し、レンズ２６１をそれぞれ具える。マクロ撮影にとって、レンズ２６１は、基本的に凸レンズであるが、平凸レンズ、両凸レンズ、凹凸レンズなどの形態でもよい。また、各々の凸レンズは、異なる光学拡大率を有してもよく、各種異なる形態および光学拡大率のカセットレンズ２６ａ、２６ｂ、２６ｃを必要に応じて選択することができる。
【０００９】
図３は、本考案の実施形態によるデジタルカメラのコンバージョンレンズがカメラに装着された状態を示す斜視図である。図３に示すように、ケース２０の内部および前面は、カメラ本体１のレンズの光路に相対する部分が開けられている。これにより、光線がレンズ内に進入するのが妨げられることはない。カセットレンズ２６ａ、２６ｂ、２６ｃがスリット２２１ａ、２２１ｂ、２２１ｃに沿ってスライダ２５ａ、２５ｂ、２５ｃ内に挿入されて位置決めが行なわれると、カセットレンズ２６ａ、２６ｂ、２６ｃのレンズ２６１は、光軸がカメラ本体１のレンズの光軸と一直線の位置関係になり、レンズ２６１がカメラ本体１のレンズの先端部に位置するレンズとなる。
【００１０】
コンバージョンレンズがカメラ本体１に装着された状態において、カセットレンズ２６ａ、２６ｂ、２６ｃを自由に交換したり、同時に複数のカセットレンズ２６ａ、２６ｂ、２６ｃを用いたりして自由に配列または組合せを行ない、必要な光学効果（光学拡大率）に調節することができるため、利便性が非常に高い。
【００１１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１２】
【図１】本考案の実施形態によるデジタルカメラのコンバージョンレンズを示す分解斜視図である。
【図２】本考案の実施形態によるデジタルカメラのコンバージョンレンズを示す斜視図である。
【図３】本考案の実施形態によるデジタルカメラのコンバージョンレンズがカメラ本体に装着された状態を示す斜視図である。
【符号の説明】
【００１３】
１  カメラ本体
２  コンバージョンレンズ
１１  固定座
２０  ケース
２１  ケースの片側
２２  ケースの片側
２３  バッテリ
２４  発光ユニット
２５ａ  スライダ
２５ｂ  スライダ
２５ｃ  スライダ
２６ａ  カセットレンズ
２６ｂ  カセットレンズ
２６ｃ  カセットレンズ
２２１ａ  スリット
２２１ｂ  スリット
２２１ｃ  スリット
２４１  発光体
２６１  レンズ
【図１】
0003144930.tif 000003
【図２】
0003144930.tif 000004
【図３】
0003144930.tif 000005